(57)【要約】【課題】強風の影響を受けず、常に安定した状態で盛替作業を実行し得る連層式作業装置およびその作業方法を提供する。【解決手段】ユニット枠体２１は、上下方向に延びる複数本の垂直支柱２２と水平方向に延びて垂直支柱２２を締結する複数本の水平梁２３とを有し、建築物の外部に配置される。ガイド部材６０（又はガイドローラ５６）がユニット枠体２１に固定され、ガイドローラ５６（又はガイド部材６０）が躯体部１１ａ〜１１ｄに固定される。複数の締結具Ａ４１が垂直支柱２２に設けられ、建築物の躯体部１１ａ〜１１ｄに着脱自在に締結される。足場板支持梁３０は、垂直支柱２２に建築物に向けて水平に突設される。足場板３７は、水平方向に隣り合う足場板支持梁３０に両端が着脱自在に装着される。【選択図】    図３
2004218282.tif 000002
【特許請求の範囲】
【請求項１】
上下方向に延びる複数本の垂直支柱と水平方向に延びて前記垂直支柱に連結される複数本の水平梁とを有し、建築物の外側に配置されるユニット枠体と、
前記ユニット枠体に前記建築物に向けて突出して固定される複数の締結梁およびそれぞれの前記締結梁に回転自在に装着され前記建築物に締結される締結アームを備えた締結具と、
前記締結梁に取り付けられ、前記建築物に着脱自在に取り付けられたガイドローラに案内されて上下方向に移動するガイド部材と、
前記ユニット枠体に前記建築物に向けて水平に突設され、足場板を支持する足場板支持梁とを有し、
前記ユニット枠体の前記建築物に対する締結を解除することで、前記ガイドローラに案内されて前記ユニット枠体と前記ガイド部材を上下動させることを特徴とする連層式作業装置。
【請求項２】
上下方向に延びる複数本の垂直支柱と水平方向に延びて前記垂直支柱に連結される複数本の水平梁とを有し、建築物の外側に配置されるユニット枠体と、
前記ユニット枠体に前記建築物に向けて突出して固定される複数の締結梁およびそれぞれの前記締結梁に回転自在に装着され前記建築物に締結される締結アームを備えた締結具と、
前記締結梁に取り付けられ、前記建築物に着脱自在に取り付けられたガイド部材に案内されて上下方向に移動するガイドローラと、
前記ユニット枠体に前記建築物に向けて水平に突設され、足場板を支持する足場板支持梁とを有し、
前記ユニット枠体の前記建築物に対する締結を解除することで、前記ガイド部材に案内されて前記ユニット枠体と前記ガイドローラを上下動させることを特徴とする連層式作業装置。
【請求項３】
上下方向に延びる複数本の垂直支柱と水平方向に延びて前記垂直支柱に連結される複数本の水平梁とを有し、建築物の外側に配置されるユニット枠体と、
前記ユニット枠体に前記建築物に向けて突出して固定される複数の締結梁およびそれぞれの前記締結梁に回転自在に装着され前記建築物に締結される締結アームを備えた締結具と、
前記締結梁に取り付けられ、前記建築物に着脱自在に取り付けられたガイドローラに案内されて上下方向に移動するガイド部材と、
前記ユニット枠体に装着される安全ネットとを有し、
前記ユニット枠体の前記建築物に対する締結を解除することで、前記ガイドローラに案内されて前記ユニット枠体と前記ガイド部材と前記安全ネットを上下動させることを特徴とする連層式作業装置。
【請求項４】
上下方向に延びる複数本の垂直支柱と水平方向に延びて前記垂直支柱に連結される複数本の水平梁とを有し、建築物の外側に配置されるユニット枠体と、
前記ユニット枠体に前記建築物に向けて突出して固定される複数の締結梁およびそれぞれの前記締結梁に回転自在に装着され前記建築物に締結される締結アームを備えた締結具と、
前記締結梁に取り付けられ、前記建築物に着脱自在に取り付けられたガイド部材に案内されて上下方向に移動するガイドローラと、
前記ユニット枠体に装着される安全ネットとを有し、
前記ユニット枠体の前記建築物に対する締結を解除することで、前記ガイド部材に案内されて前記ユニット枠体と前記ガイドローラと前記安全ネットを上下動させることを特徴とする連層式作業装置。
【請求項５】
請求項１〜４のいずれか１項に記載の連層式作業装置において、前記締結アームは締結駒を有するボルトと一体に形成されたアンカーボルト挿入プレートと、前記締結アームに固定され前記ボルトの挿入孔を形成した金具を有し、前記金具に挿入された前記ボルトに嵌合されるナットを調整することにより前記アンカーボルト挿入プレートを上下に移動させることを特徴とする連層式作業装置。
【請求項６】
請求項１〜４のいずれか１項に記載の連層式作業装置において、前記締結アームは、把持部を有するネジと、前記締結アームに固定され、前記ネジが嵌入されるネジ穴が貫通して形成された筒体と、前記ネジの一端部に取り付けられ、前記ネジを回転自在とする回転支持体を搭載するアンカーボルト挿入プレートとを有し、前記筒体に嵌入された前記ネジに取り付けられた把持部を回動させることにより前記アンカーボルト挿入プレートを上下に移動させることを特徴とする連層式作業装置。
【請求項７】
請求項１〜６のいずれか１項に記載の連層式作業装置において、建築物最上階に設けられた巻上げ機と、両端が前記巻上げ機および前記ユニット枠体に固定されたワイヤとを有し、前記巻上げ機を作動させると前記ユニット枠体が建築物に対して上下動することを特徴とする連層式作業装置。
【請求項８】
請求項１〜６のいずれか１項に記載の連層式作業装置において、建築物最上階に設けられた滑車と、前記ユニット枠体に備えられた巻取り機と、前記滑車を介して両端を前記ガイド部材および前記巻取り装置に取り付けられたワイヤとを有し、前記巻取り機を作動させると前記ユニット枠体が建築物に対して上下動することを特徴とする連層式作業装置。
【請求項９】
請求項１〜８のいずれか１項に記載の連層式作業装置において、前記垂直支柱のそれぞれは、上下端部に連結部を有し、かつ、長手方向に沿って所定間隔毎に取付孔が形成された柱部材を上下方向に複数連結して形成され、前記水平梁のそれぞれは、水平端部に連結部を有する梁部材を水平方向に複数連結してそれぞれ形成されたことを特徴とする連層式作業装置。
【請求項１０】
請求項１〜９のいずれか１項に記載の連層式作業装置において、前記柱部材は、逆向きに対向して配置され、スペーサを介して結合された一対のチャンネル材によって構成され、前記チャンネル材のそれぞれの対向面には、長手方向に沿って所定間隔毎に取付孔が形成されていることを特徴とする連層式作業装置。
【請求項１１】
請求項１〜１０のいずれか１項に記載の連層式作業装置において、前記梁部材は、逆向きに対向して配置され、スペーサを介して結合された一対のチャンネル材によって構成され、前記柱部材の前記取付孔に対応する貫通孔が形成された連結部を有することを特徴とする連層式作業装置。
【請求項１２】
請求項１〜１１のいずれか１項に記載の連層式作業装置において、前記垂直支柱に取り付けられる前記締結具は、前記柱部材の前記取付孔に対応する貫通孔が形成された連結部を有することを特徴とする連層式作業装置。
【請求項１３】
請求項１〜１２のいずれか１項に記載の連層式作業装置において、前記ユニット枠体の側辺に外方に向けて前記ユニット枠体に平行となって水平に突設される梯子支持梁と、上下方向に隣り合う前記梯子支持梁との間に取り付けられる梯子と、前記側辺に位置する前記足場板支持梁に回動自在に装着される渡り足場板とを有し、作業者が前記梯子を介して上下に移動し得るとともに前記渡り足場板を介して相互に隣り合う連層式作業装置に移動し得ることを特徴とする連層式作業装置。
【請求項１４】
上下方向に延びる複数本の垂直支柱と水平方向に延びて前記垂直支柱に連結される複数本の水平梁とを有し、建築物の外側に配置されるユニット枠体と、前記ユニット枠体に前記建築物に向けて突出して固定される複数の締結梁およびそれぞれの前記締結梁に回転自在に装着され前記建築物に締結される締結アームを備えた締結具と、前記締結梁に取り付けられ、前記建築物に着脱自在に取り付けられたガイドローラに案内されて上下方向に移動するガイド部材とを有する連層式作業装置の作業方法であって、
前記締結具の前記建築物に対する締結を解除し、前記締結アームを退避位置に回転移動させる締結解除工程と、
前記ユニット枠体に取り付けられた前記ガイド部材を、前記ガイドローラに案内されて上下方向に移動させる登攀工程と、
前記締結アームを締結位置に回転移動させ、前記締結具の前記建築物に対して締結を行う締結工程とを有することを特徴とする連層式作業装置の作業方法。
【発明の詳細な説明】
【０００１】
【発明の属する技術分野】
本発明は建築物を建造する際に建築物の外側に配置されて作業者が建築物外面に対する作業を行ったり、建築物外面を安全ネットにより覆うための連層式作業装置およびその作業方法に関する。
【０００２】
【従来の技術】
建築現場において、作業者は連層式作業装置に設けられた足場板の上で外面塗装作業などの種々の建築作業を行う。ここで、中層ないし高層の建築物を建造する場合には、地上から足場を組み上げていくことは困難であることから、建築物の外側に配置される連層式作業装置を上層階側に移動させるようにした技術が開発されており、例えば特許文献１に示す構成が知られている。この連層式作業装置は、所定階数、例えば３階あるいは４階程度の階数に対応する高さとなって建築物の外側に配置され、連層式作業装置を使用した所定の作業が終了するとともに、上層階の部分の建築が進むに従って連層式作業装置はクレーンやホイストなどの起重機によって上方に登攀移動される。
【０００３】
【特許文献１】
特許第２５２２７４８号明細書
【０００４】
【発明が解決しようとする課題】
このようなタイプの連層式作業装置は、建築現場まで分解した状態でトラック輸送ができるとともに、建築現場において容易に組み立てることができることが好ましく、更に上方に登攀移動させる際には迅速に建築物の躯体部から取り外してクレーンなどにより迅速に移動し得ることが好ましい。
【０００５】
しかしながら、これまで開発された登攀式の連層式作業装置は、所定の作業が終了した後に上昇移動させる盛替作業に時間がかかるという問題がある。
【０００６】
本発明の目的は、組立て分解作業を迅速に行うことができるとともに上下動作業を迅速に行うことができる連層式作業装置およびその方法を提供することにある。
【０００７】
本発明の他の目的は、強風に煽られて躯体部に衝突する心配がなく、常に安定した状態で盛替作業を行うことができる連層式作業装置およびその方法を提供することにある。
【０００８】
【課題を解決するための手段】
本発明の連層式作業装置は、上下方向に延びる複数本の垂直支柱と水平方向に延びて前記垂直支柱に連結される複数本の水平梁とを有し、建築物の外側に配置されるユニット枠体と、前記ユニット枠体に前記建築物に向けて突出して固定される複数の締結梁およびそれぞれの前記締結梁に回転自在に装着され前記建築物に締結される締結アームを備えた締結具と、前記締結梁に取り付けられ、前記建築物に着脱自在に取り付けられたガイドローラに案内されて上下方向に移動するガイド部材と、前記ユニット枠体に前記建築物に向けて水平に突設され、足場板を支持する足場板支持梁とを有し、前記ユニット枠体の前記建築物に対する締結を解除することで、前記ガイドローラに案内されて前記ユニット枠体と前記ガイド部材を上下動させることを特徴とする。
【０００９】
本発明の連層式作業装置は、上下方向に延びる複数本の垂直支柱と水平方向に延びて前記垂直支柱に連結される複数本の水平梁とを有し、建築物の外側に配置されるユニット枠体と、前記ユニット枠体に前記建築物に向けて突出して固定される複数の締結梁およびそれぞれの前記締結梁に回転自在に装着され前記建築物に締結される締結アームを備えた締結具と、前記締結梁に取り付けられ、前記建築物に着脱自在に取り付けられたガイド部材に案内されて上下方向に移動するガイドローラと、前記ユニット枠体に前記建築物に向けて水平に突設され、足場板を支持する足場板支持梁とを有し、前記ユニット枠体の前記建築物に対する締結を解除することで、前記ガイド部材に案内されて前記ユニット枠体と前記ガイドローラを上下動させることを特徴とする。
【００１０】
本発明の連層式作業装置は、上下方向に延びる複数本の垂直支柱と水平方向に延びて前記垂直支柱に連結される複数本の水平梁とを有し、建築物の外側に配置されるユニット枠体と、前記ユニット枠体に前記建築物に向けて突出して固定される複数の締結梁およびそれぞれの前記締結梁に回転自在に装着され前記建築物に締結される締結アームを備えた締結具と、前記締結梁に取り付けられ、前記建築物に着脱自在に取り付けられたガイドローラに案内されて上下方向に移動するガイド部材と、前記ユニット枠体に装着される安全ネットとを有し、前記ユニット枠体の前記建築物に対する締結を解除することで、前記ガイドローラに案内されて前記ユニット枠体と前記ガイド部材と前記安全ネットを上下動させることを特徴とする。
【００１１】
本発明の連層式作業装置は、上下方向に延びる複数本の垂直支柱と水平方向に延びて前記垂直支柱に連結される複数本の水平梁とを有し、建築物の外側に配置されるユニット枠体と、前記ユニット枠体に前記建築物に向けて突出して固定される複数の締結梁およびそれぞれの前記締結梁に回転自在に装着され前記建築物に締結される締結アームを備えた締結具と、前記締結梁に取り付けられ、前記建築物に着脱自在に取り付けられたガイド部材に案内されて上下方向に移動するガイドローラと、前記ユニット枠体に装着される安全ネットとを有し、前記ユニット枠体の前記建築物に対する締結を解除することで、前記ガイド部材に案内されて前記ユニット枠体と前記ガイドローラと前記安全ネットを上下動させることを特徴とする。
【００１２】
本発明の連層式作業装置は、前記締結アームは締結駒を有するボルトと一体に形成されたアンカーボルト挿入プレートと、前記締結アームに固定され前記ボルトの挿入孔を形成した金具を有し、前記金具に挿入された前記ボルトに嵌合されるナットを調整することにより前記アンカーボルト挿入プレートを上下に移動させることを特徴とする。
【００１３】
本発明の連層式作業装置は、前記締結アームは、把持部を有するネジと、前記締結アームに固定され、前記ネジが嵌入されるネジ穴が貫通して形成された筒体と、前記ネジの一端部に取り付けられ、前記ネジを回転自在とする回転支持体を搭載するアンカーボルト挿入プレートとを有し、前記筒体に嵌入された前記ネジに取り付けられた把持部を回動させることにより前記アンカーボルト挿入プレートを上下に移動させることを特徴とする。
【００１４】
本発明の連層式作業装置は、建築物最上階に設けられた巻上げ機と、両端が前記巻上げ機および前記ユニット枠体に固定されたワイヤとを有し、前記巻上げ機を作動させると前記ユニット枠体が建築物に対して上下動することを特徴とする。
【００１５】
本発明の連層式作業装置は、建築物最上階に設けられた滑車と、前記ユニット枠体に備えられた巻取り機と、前記滑車を介して両端を前記ガイド部材および前記巻取り装置に取り付けられたワイヤとを有し、前記巻取り機を作動させると前記ユニット枠体が建築物に対して上下動することを特徴とする。
【００１６】
本発明の連層式作業装置は、前記垂直支柱のそれぞれは、上下端部に連結部を有し、かつ、長手方向に沿って所定間隔毎に取付孔が形成された柱部材を上下方向に複数連結して形成され、前記水平梁のそれぞれは、水平端部に連結部を有する梁部材を水平方向に複数連結してそれぞれ形成されたことを特徴とする。
【００１７】
本発明の連層式作業装置は、前記柱部材は、逆向きに対向して配置され、スペーサを介して結合された一対のチャンネル材によって構成され、前記チャンネル材のそれぞれの対向面には、長手方向に沿って所定間隔毎に取付孔が形成されていることを特徴とする。
【００１８】
本発明の連層式作業装置は、前記梁部材は、逆向きに対向して配置され、スペーサを介して結合された一対のチャンネル材によって構成され、前記柱部材の前記取付孔に対応する貫通孔が形成された連結部を有することを特徴とする。
【００１９】
本発明の連層式作業装置は、前記垂直支柱に取り付けられる前記締結具は、前記柱部材の前記取付孔に対応する貫通孔が形成された連結部を有することを特徴とする。
【００２０】
本発明の連層式作業装置は、前記ユニット枠体の側辺に外方に向けて前記ユニット枠体に平行となって水平に突設される梯子支持梁と、上下方向に隣り合う前記梯子支持梁との間に取り付けられる梯子と、前記側辺に位置する前記足場板支持梁に回動自在に装着される渡り足場とを有し、作業者が前記梯子を介して上下に移動し得るとともに前記渡り足場板を介して相互に隣り合う連層式作業装置に移動し得ることを特徴とする。
【００２１】
本発明の連層式作業装置の作業方法は、上下方向に延びる複数本の垂直支柱と水平方向に延びて前記垂直支柱に連結される複数本の水平梁とを有し、建築物の外側に配置されるユニット枠体と、前記ユニット枠体に前記建築物に向けて突出して固定される複数の締結梁およびそれぞれの前記締結梁に回転自在に装着され前記建築物に締結される締結アームを備えた締結具と、前記締結梁に取り付けられ、前記建築物に着脱自在に取り付けられたガイドローラに案内されて上下方向に移動するガイド部材とを有する連層式作業装置の作業方法であって、前記締結具の前記建築物に対する締結を解除し、前記締結アームを退避位置に回転移動させる締結解除工程と、前記ユニット枠体に取り付けられた前記ガイド部材を、前記ガイドローラに案内されて上下方向に移動させる登攀工程と、前記締結アームを締結位置に回転移動させ、前記締結具の前記建築物に対して締結を行う締結工程とを有することを特徴とする。
【００２２】
このような本発明の連層式作業装置およびその方法によれば、ガイドレールかガイドローラのいずれか１つを躯体部に締結した状態で盛替作業を行うので、強風に煽られた連層式作業装置が躯体部に衝突する心配もなく、常に安定した状態で盛替作業を行うことができる。
【００２３】
【発明の実施の形態】
以下、本発明の実施の形態を図面に基づいて詳細に説明する。
【００２４】
図１は本発明の連層式作業装置２０を建築物１０の外側に取り付けた状態を示す正面図であり、図２は図１におけるＡ−Ａ線に沿う方向の矢視図であり、図３は図１におけるＢ−Ｂ線に沿う方向の矢視図である。
【００２５】
図１および図３には建設途中における建築物１０の各躯体部１１ａ〜１１ｅが示されており、本発明の連層式作業装置２０は建築物１０の外側に配置されるようになっている。マンションやオフィスビルなどの１つの建築物を建設する際にはその周囲全体を覆うように、若しくは必要な箇所に所定の台数の連層式作業装置２０が建築物１０の下層部に取り付けられることになる。図１および図２には、１つの連層式作業装置２０とこれに隣接する他の連層式作業装置２０の一部が示されており、連層式作業装置２０は建築物１０の外側に配置されるユニット枠体２１を有している。
【００２６】
ユニット枠体２１は、上下方向に延びる複数本の垂直支柱２２と、水平方向に延びて垂直支柱２２を上下両端部で連結する複数本の水平梁２３とを備えている。ユニット枠体２１を構成する垂直支柱２２および水平梁２３の本数は、図１に示された本数に限定されるものではなく、任意の本数とすることができる。図１に示すように、ユニット枠体２１の外面には安全ネット１９が取り付けられており、作業用工具の落下、小物部品の落下、それによる作業者の負傷を未然に防止している。図示はしないが、ユニット枠体２１の垂直支柱２２の間には水平方向に延びる複数の手摺り材が所定の間隔を隔てて備えられており、作業者の転落事故を防止している。
【００２７】
垂直支柱２２のそれぞれは、所定の長さの柱部材２４を複数本接続することにより形成されており、分解および組立てを行うことができる。同様に、水平梁２３も、所定の長さの梁部材２５を複数本接続することにより形成されており、分解および組立てを行うことができる。
【００２８】
図４（Ａ）は柱部材２４の側面図であり、図４（Ｂ）は柱部材２４の正面図であり、図４（Ｃ）は柱部材２４の一部を示す斜視図である。柱部材２４はそれぞれ所定長さの断面コの字形状の２本のチャンネル材２４ａを逆向きにして、それぞれに溶接されるスペーサ２４ｃによって固定することにより形成されている。
【００２９】
一方のチャンネル材２４ａの一端部と他方のチャンネル材２４ａの他端部にはそれぞれ断面コの字形状のジョイント部材２４ｂが固定され、それぞれのジョイント部材２４ｂには取付孔２６ａが形成されている。また、一方のチャンネル材２４ａの他端部と他方のチャンネル材２４ａの一端部には、それぞれ取付孔２６ａに対応して取付孔２６ｂが形成されている。これにより、柱部材２４のジョイント部材２４ｂ同士を連結することができ、所定の長さの垂直支柱２２を構成することができる。それぞれのチャンネル材２４ａの対向面には、長手方向に所定の間隔毎に取付孔２６が形成されている。その取付孔２６を貫通するボルトによってジョイント部材２４ｂを取り付け、ジョイント部材２４ｂを介して柱部材２４を連結することにより必要な長さの垂直支柱２２を建築現場で容易に組み立てることができる。
【００３０】
図５（Ａ）は梁部材２５を側面から見た部分断面図であり、図５（Ｂ）は梁部材２５を示す正面図であり、図５（Ｃ）は梁部材２５の一部を示す斜視図であり、図５（Ｄ）は梁部材２５の一部を示す斜視図である。
【００３１】
図５（Ａ）〜（Ｄ）に示す梁部材２５は、それぞれ所定長さの断面コの字形状の２本のチャンネル材２５ａを逆向きにし、それぞれに溶接されるスペーサ２５ｃによって固定することにより形成されている。
【００３２】
一方のチャンネル材２５ａの一端部と他方のチャンネル材２５ａの他端部には、それぞれ断面コの字形状のジョイント部材２５ｂが固定され、それぞれのジョイント部材２５ｂには取付孔２７ａが形成されている。また、一方のチャンネル材２５ａの他端部と他方のチャンネル材２５ａの一端部には、それぞれ取付孔２７ａに対応して取付孔２７ｂが形成されている。さらに、それぞれのチャンネル材２５ａの長手方向の端部には取付孔２７が形成されており、その取付孔２７を通過するボルトによってジョイント部材２５ｂを取り付け、ジョイント部材２５ｂを介して梁部材２５を連結することにより必要な長さの水平梁２３を建築現場で容易に組み立てることができる。
【００３３】
対向するチャンネル材２５ａ相互間には、柱部材２４に形成された取付孔２６に対応する貫通孔２８が形成された支柱用連結部材２９がネジ止め、若しくは溶接などの結合手段によって固定されている。水平梁２３を垂直支柱２２に取り付けるには、支柱用連結部材２９に形成された貫通孔２８と柱部材２４に形成された取付孔２６とを位置合わせしてボルトなどの締結具で締結すればよい。
【００３４】
図６は足場板支持梁３０を示す斜視図である。足場板支持梁３０は、持ち送り枠もしくはブラケット枠とも称されており、図６に示すように、チャンネル材に加工が施され、柱部材２４に形成された取付孔２６に対応する貫通孔３１が形成された足場用連結部材３２を有する。足場用連結部材３２の両端部のそれぞれには、丸パイプ部からなる支持梁本体３３と支持梁補助部３４とが足場用連結部材３２に対して直角方向に溶接などの結合手段を用いて固定されており、支持梁本体３３および支持梁補助部３４の内部には、それぞれ摺動パイプ３３ａ、３４ａが嵌め合わされている。これにより、装着される足場板の幅寸法に応じて足場板支持梁３０の長手方向の寸法を自在に調節することができる。図示された支持梁本体３３および支持梁補助部３４は、丸パイプで構成されているが、角パイプで構成されてもよい。また、摺動パイプ３３ａ、３４ａの先端には、図示しない手摺り材を装着するための受け部３５が摺動パイプ３３ａ、３４ａに対して直角方向に溶接などの結合手段によって固定されている。
【００３５】
図７は図１のＣ部を拡大して示した斜視図である。図７において、足場板は省略されている。図６に示したような足場板支持梁３０を垂直支柱２２に取り付けるには、図７に示すように、足場用連結部材３２に形成された貫通孔３１と垂直支柱２２に形成された取付孔２６とに止めピンまたはボルトなどの足場用締結具３６を用いて締結する。これにより、相互に隣り合う足場板支持梁３０の垂直支柱２２に対する取り付け高さを同一に揃えることができる。
【００３６】
図２に示されるように、足場板支持梁３０は、それぞれの垂直支柱２２に取り付けられており、水平方向に隣り合う足場板支持梁３０相互間には足場板３７が着脱自在に装着されるようになっている。ただし、ユニット枠体２１に足場板支持梁３０と足場板３７を取り付けることなく、安全ネット１９のみを取り付けるようにしても良く、安全ネット１９を取り付けることなく、足場板支持梁３０を介して足場板３７のみを取り付けるようにしても良い。
【００３７】
図８（Ａ）は足場板３７を示す平面図であり、図８（Ｂ）は足場板３７を示す正面図である。足場板３７として布板と称されているものが使用されている。図８（Ａ）（Ｂ）に示すように、足場板３７は、枠体部３８の上面に布板部３９が設けられ、枠体部３８の長手方向の両端面にそれぞれ幅方向に間隔を隔ててフック４０が設けられており、フック４０を足場板支持梁３０の支持梁本体３３に掛け留めることによって、足場板支持梁３０に対して着脱自在に装着される。
【００３８】
枠体部３８は、鉄などの金属薄板の折り曲げ、打ち抜き、またはプレス加工を経て製造してもよいし、角パイプ若しくは丸パイプを組み合わせて構成してもよい。また、この実施の形態では、布板部３９にエキスパンドメタル等の金属メッシュが用いられているが、金属板の表面に多数の穴を設けた多孔板や、金属板の表面に多数の微小な凹凸模様を付したものを用いても良い。
【００３９】
図９は、締結具Ａ４１を示した斜視図である。図９に示すように、締結具Ａ４１は、角パイプに加工が施された締結梁４２と、締結梁４２に直角方向に固定された締結補助部材４３と、締結補助部材４３の柱部材２４に対向する面上に固定された締結部材４４と、締結梁４２に回転自在に連結される締結アームＡ４５と、締結梁４２と締結補助部材４３に対して垂直方向に突設されたガイド連結部材４６とを有し、締結梁４２と直角に固定された締結補助部材４３との間には三角状のプレートからなる補強部材４７が固定されており、締結具Ａ４１の機械的強度が確保されている。締結部材４４には、柱部材２４の軸方向に等間隔で形成された取付孔２６と同じ間隔で同径の締結孔４８が複数形成されている。これより図７に示すのと同様の締結部材４４を用いることで、柱部材２４に締結具Ａ４１を締結保持することができる。締結アームＡ４５は、板材を直角方向に曲げたものを、締結梁を挟み込むように相互に向かい合わせて配置し、先端部をそれぞれに溶接されるスペーサ４５ａによって固定することにより形成されている。ただし、締結アームＡ４５は、溶接などの方法で２枚の板材を直角に固定してもよい。さらに、締結梁４２側面にはヒンジ穴４２ａ，４２ｂが、締結アームＡ４５側面にはヒンジ部４２ａ，４２ｂの位置に対応してヒンジ穴４５ｂ，４５ｃが形成されている。これらのヒンジ穴の間隔はヒンジ穴４２ｃ（４５ｃ）から先端部４５ｄまでの長さよりも短くしてある。このようなヒンジ構造にあっては、両ヒンジ部を締結ボルト５０ａ，５０ｂを用いて連結することにより、締結梁４２および締結アームＡ４５を水平に保持することができる。そして、締結ボルト５０ａを引き抜いてヒンジ部４９ａにおける締結を解除した場合には、ヒンジ部４９ｂを回転支点として、ガイド連結部材４６と衝突しない範囲内において、締結アームＡ４５を上下に回転自在とすることができるとともに、無負荷状態にあっては、常に矢印ａの方向に締結アームＡ４５が回転することになる。締結具Ａ４１の締結アームＡ４５の先端にはアンカーボルト取付孔５１が形成されている。これより、躯体部１１にアンカーボルト５２で固定することで締結具Ａ４１を所定の位置で保持することができる。締結梁４２底面の所定の位置には、締結梁４２と連結補助部材４３のそれぞれに対して垂直となる方向にガイド連結部材４６が固定されている。ガイド連結部材４６は、ガイド保持部材５３を挿入するために中空パイプで構成され、挿入されたガイド保持部材５３が抜け落ちるのを防ぐための保持具５４の取付孔５５形成されている。なお、加工が施された角パイプからなる締結梁４２と締結部材４４と締結補助部材４３は、丸パイプやその他の板材を加工したものであっても良く、ガイド連結部材４６は丸パイプなどの中空材であってもよい。
【００４０】
図１０はガイドローラ５６を示す斜視図である。ガイドローラ５６は、ガイドローラ支持部５７とガイドローラ部５８からなる。ガイドローラ支持部５７にはアンカーボルト取付孔５９が形成され、一端部に支持片５８ａが取り付けられている。ガイドローラ部５８は軸方向両端に回転体５８ｂがそれぞれ結合された回転軸５８ｃと、それを回転自在に支持する支持片５８ａとを有する。このようなガイドローラ支持部５７を躯体部１１に固定すれば、ガイドローラ５６に案内されてガイド部材６０を有するユニット枠体２１を上下動させることができる。
【００４１】
図１１は、図１のＤ部を拡大して示した斜視図である。締結具Ａ４１は基端部４１ａ側で、チェーンにより締結具Ａ４１に取り付けられた固定具６１により垂直支柱２２に固定され、締結具Ａ４１の先端部４１ｂはアンカーボルト５２により躯体部１１に固定され、締結梁４２と締結アームＡ４５はヒンジ結合している。ガイド部材６０には水平方向にガイド保持部材５３が取り付けられており、ガイド保持部材５３は中空のガイド連結部材４６に挿入されている。ガイドローラ支持部５７はアンカーボルト５２により躯体部１１に固定され、回転体５８ｂがガイド部材６０のガイド溝６０ａに嵌め合わされている。このように各部材を構成配置することで、後述するように、外面塗布作業時などの建築作業中には確実に連層式作業装置２０を所定の高さで保持し、登攀作業時には強風等の外圧の影響を受けることなく所定の位置まで連層式作業装置２０を迅速に移動することが可能となる。なお、ガイド連結部材４６にはガイドローラ５６を締結しても良く、この場合は躯体部１１にガイド部材６０が固定されることになる。
【００４２】
図１〜図３に示す実施例にあっては、ガイド部材６０とユニット枠体２１とを上下方向に駆動するために上下動機構６２が備えられている。この上下動機構６２は、ユニット枠体２１に水平に突設された支持腕６２ａと、支持腕６２ａの先端に設けられたウインチなどの巻上げ機６２ｂとを有しており、巻上げ機６２ｂのワイヤ６３がユニット枠体２１に固定されている。したがって、締結具Ａ４１の建築物に対する締結を解除した状態でワイヤ６３を巻き取ればユニット枠体２１を上昇移動させることができる。なお、ワイヤ６３の取付部分はユニット枠体２１のみならず、ガイド部材６０がユニット枠体２１に固定され一体として移動する本実施例にあっては、ガイド部材６０に取り付けることもできる。
【００４３】
つぎに、連層式作業装置２０の使用方法の一実施例について説明する。
【００４４】
図１２は本発明の連層式作業装置２０の初期使用状態を示す説明図であり、図１３は本発明の連層式作業装置２０の上昇移動を開始する状態を示す説明図であり、図１４は本発明の連層式作業装置２０の上昇移動が終了した状態を示す説明図であり、図１５は本発明の連層式作業装置２０の盛替作業が完了した状態を示す説明図である。
【００４５】
建築物１０の外面塗装作業など種々の建築作業を行うには、まず所定の台数の連層式作業装置２０を建築物１０下層部の周囲全体もしくは必要な箇所に配置する。図１２に示すように、連層式作業装置２０は、ガイド部材６０の複数の締結具Ａ４１により、各躯体部１１ａ，１１ｂ，１１ｃに固定されている。
【００４６】
ユニット枠体２１のそれぞれの垂直支柱２２には、複数の足場板支持梁３０が締結され、それぞれの足場板支持梁３０の支持梁本体３３には足場板３７が着脱自在に敷設されており、作業者は足場板３７の上で外面塗装など種々の建築作業を行う。
【００４７】
建築作業の進行にともなって、下層階での作業が完了し、更に上層階での建築作業を行うには、図１３に示すように、まず、ユニット枠体２１に設けられた締結具Ａ４１の各躯体部１１ａ，１１ｂ，１１ｃに対する締結を解除するとともに、ヒンジ部４９ａの締結を解除する。つぎに、上下動機構６２の巻上げ機６２ｂを駆動させてワイヤ６３を巻き上げ、ユニット枠体２１を吊り上げる。そうすると、締結アームＡ４５は自動的に矢印ｂの方向に回転するので、ユニット枠体２１の上下動時に締結アームＡ４５が各躯体部１１ａ〜１１ｅと衝突する事態を回避することができる。その後、図１４に示すように、次に作業を行う階層部分の高さに締結アームＡ４５を水平位置に回転させることができる高さを加えた位置にまでユニット枠体２１を吊り上げる。そして、締結アームＡ４５を矢印ｃの方向に水平になるまで回転させ、ヒンジ部４９ａを締結状態とし、締結アームＡ４５を水平位置に保持する。最後に、図１５に示すように水平位置にある締結アームＡ４５が躯体部と接触する位置にまでユニット枠体２１を下降させ、それから締結アームＡ４５をアンカーボルト５４にて各躯体部１１ｂ，１１ｃ，１１ｄに固定する。
【００４８】
このように作動する本発明の連層式足場装置２０は、ユニット枠体２１と一体として移動するガイド部材６０が各躯体部１１ａ〜１１ｄに固定されたガイドローラ５６に案内されることで、強風などの揺れにより連層式作業装置２０が所定の位置からずれるのを防ぐことができる。したがって、常に安定した状態で迅速確実に盛替作業を行うことができる。なお、上述したように、ガイド連結部材４６にはガイドローラ５６を締結しても良く、この場合は各躯体部１１ａ〜１１ｄに固定されるガイド部材６０により案内されることになる。
【００４９】
１つの連層式作業装置２０は建築物１０の複数階分の上下寸法と、所定の幅寸法を有しており、建築物１０に対しては複数の連層式作業装置２０が使用される。図１に示されるように、１つの連層式作業装置２０と他の連層式作業装置２０は所定の間隔を隔てて建築物１０の外側に配置される。そこで、１つの連層式作業装置２０からこれに隣接する他の連層式作業装置２０に作業者が移動し得るように、ユニット枠体２１の一方の側辺に位置する足場板支持梁３０には、渡り足場板３７が回転自在に装着されている。
【００５０】
図１に示すように、ユニット枠体２１の一方の側辺に位置する垂直支柱２２には、梯子６４が取り付けられている。垂直支柱２２には、図示しない梯子支持梁が所定の間隔毎にユニット枠体２１の外方に向けてユニット枠体２１の外面に平行となって水平に取り付けられており、梯子６４は梯子支持梁に取り付けられている。したがって、作業者が上下方向に足場を移動する際には、梯子６４を上り下りすることになる。
【００５１】
本発明は前記実施の形態に限定されるものではなく、その要旨を逸脱しない範囲で種々変更可能である。
【００５２】
たとえば、垂直支柱２２は、図４に示したような所定の間隔で複数形成された柱部材取付孔２６を有する断面コの字形状の柱部材２４で構成されたものに限られず、取付孔２６を有しない断面円形状の柱部材６５で構成されていてもよい。このような柱部材６５からユニット枠体２１に組み上げるのに、例えば図１６に示すようなビーム支持部材６６を用いることができる。このビーム支持部材６６は、部材中央部にビーム材６７の挿入孔６６ａが形成されており、その両側面には柱部材６５に形成された取付孔６５ａに嵌入される突出部６６ｂが複数形成されている。図１７は、このビーム支持部材６６を用いてユニット枠体２１の組上作業を行う状態を示した説明図である。２本の柱部材６５に嵌入されたビーム支持部材６６の挿入孔６６ａにはビーム材６７が挿入されている。このようなビーム支持部材６６を用いることで、各垂直支柱２２を垂直方向に任意の間隔で容易に立て置くことができ、ユニット枠体２１の組上作業を迅速かつ効率的に行うことができる。なお、この場合、垂直支柱２２と水平梁２３の締結にはクランプ等を用いることができる。
【００５３】
図１８は垂直支柱２２と足場板支持梁３０との他の締結方法を示した斜視図である。このように図６に示す足場板支持梁３０を用いる場合にあっては、垂直支柱２２は図４に示すような形状のものに限られず、図１８に示すような角パイプを柱部材２４として用いることも可能である。図１９は、図１８に示すような各パイプを柱部材２４として用いる場合の柱部材２４と締結具Ａ４１との他の締結方法を示した斜視図である。垂直支柱２２が図１８に示したような角パイプからなる場合にあっては、締結部材４４を図１９に示すような形状に加工することで、角パイプよりなる柱部材２４に締結具Ａ４１を取り付けることができる。
【００５４】
締結具による躯体部１１への締結手段も上記実施例に限られるものではない。図２０（Ａ）は締結具Ｂ６８を示した斜視図であり、（Ｂ）は締結駒７２ａ付きボルト７２を示した斜視図であり、（Ｃ）は金具７１を貫通し、アンカーボルト挿入プレート７０と一体に形成されたボルト７２を示した斜視図である。図２０（Ａ）において、締結具Ａ４１と同じ部品が用いられるものには図９で示したのと同じ番号が付されている。図２０（Ａ）に示すように、締結具Ｂ６８は、締結アームＢ６９の先端の形状のみが異なる。すなわち、締結アームＢ６９は、その先端部に、締結駒７２ａを有するボルト７２と一体に形成されたアンカーボルト挿入プレート７０と、締結アームＢ６９に固定されボルト７２の挿入孔７１ａが形成された金具７１を有している。これより、各階ごとに突設して築造される躯体部の間隔に多少のズレが生じていても、金具７１に挿入されたボルト７２に嵌合されるナット７３を調整することによりアンカーボルト挿入プレート７０を上下に移動させることができ、躯体部１１上面に対して水平に締結具Ｂ６８を固定することが可能となる。図２１は、締結具Ｂ６８の躯体部１１への締結状態を拡大して示した側面図である。図２１に示すように、ガイド連結部材４６とガイド連結部材４６に挿入されたガイド保持部材５３は固定具６１により固定されている。また、締結アームＢ６９に固定された金具７１に形成されたボルト７２の挿入孔７１ａには、締結駒７２ａを有しアンカーボルト挿入プレート７０と一体に形成されたボルト７２が貫通している。金具７１とアンカーボルト挿入プレート７０の間にはナット７３が嵌合されている。このように構成された締結アームＢ６９にあっては、ナット７３の締結を緩めることで、アンカーボルト挿入プレート７０を上下に移動させることができ、アンカーボルト挿入プレート７０の垂直位置を可変にすることができる。
【００５５】
図２２は、締結具Ｃ７４を示した斜視図である。図２２において、締結具Ａ４１と同じ部品が用いられるものには図９で示したのと同じ番号が付されている。締結具Ｃ７４は、締結アームＣ７５の先端の形状のみが異なる。締結具Ｃ７４は、ネジ穴が形成された筒体７６と、把持部７７を有するネジ７８と、ネジ７８を回転自在とするアンカーボルト挿入プレート７９に取り付けられた回転支持体８０とを有する。このように構成される締結具Ｃ７４にあっては、把持部７７を特定の方向に回転させることで、アンカーボルト挿入プレート７９を上下動させることができる。したがって、躯体部１１の間隔にズレが生じていても、アンカーボルト挿入プレート７９を上下に移動させることで、躯体部１１上面に対して水平に締結具Ｃ７４を固定することが可能となる。
【００５６】
締結具Ａ４１，Ｂ６８，Ｃ７４については、それぞれの締結アームＡ４５，Ｂ６９，Ｃ７５は上下方向に回動する場合についてのみ言及したが、これを水平方向に回動するようにしても良い。図２３は水平回転が可能な締結具の一実施例を示した斜視図である。図２３に示すように、締結梁８２と締結アームＤ８３の側面部を複数個のヒンジ８４を用いてヒンジ結合することで、図示する矢印の方向に回動自在とすることもできる。
【００５７】
さらに、締結具の躯体部１１への締結手段もアンカーボルト５２による締結に限定されるものではなく、図２３に示した締結アームＤ８３のような構成とすることも可能である。この締結アームＤ８３にはスリーブ８５が摺動自在に嵌合されており、スリーブ８５に対して締結アームＤ８３と平行にネジ結合された締結ネジ８６の先端には、躯体部１１の内面に接触する締結駒８６ａが設けられている。締結アームＤ８３には複数の位置決め孔８７が形成され、躯体部１１の厚み寸法にあわせて何れかの位置決め孔８７に、図示しない止めピンなどの固定具を打ち込むことにより、スリーブ８５の締結アームＤ８３に対する位置を設定することができる。
【００５８】
このように躯体部１１への締結手段として用いられる締結具の締結アームの回動方向は、上下方向または水平方向のいずれに設定しても良く、躯体部１１への締結方法もアンカーボルト５４または図２３に示したスリーブ８５と締結ネジ８６を用いた方法のいずれに設定しても良く、その組合せ方は、躯体部１１の形状、ユニット枠体２１の総重量等に基づいて好適な選択を行うことができる。
【００５９】
その他、本発明は以下の形態で実施することも可能である。
【００６０】
たとえば、それぞれのユニット枠体２１のサイズおよびユニット枠体２１に装着される足場板３７の段数は建築現場に応じて任意に設定することができる。
【００６１】
また、前記実施の形態では、上下動機構６２は、巻上げ機６２ｂとしてウインチを想定しているが、これ以外の機構、例えば手動の巻上げ機を用いても良いし、図示した態様以外にも、滑車を設けたり、取付位置を調整するなどして様々な態様を取り得る。たとえば、最上階からワイヤ６３を垂らし、これをユニット枠体２１に取り付けたホイスト等による巻取り機でワイヤを巻き取ることで上下動を行うことも可能である。ここで、最上階に滑車を設けて、一端部を巻取り機に他端部をユニット枠体や建築物に取り付けた後、前記巻取り機を作動させることでユニット枠体を上下動するようにしてもよい。さらに、ワイヤ６３に代えてチェーンやロープを用いても良い。とくに、前記実施の形態では、連層式作業装置２０を上層階へ移動させる場合についてのみ言及しているが、下層階へ移動させることも可能である。加えて、これまでユニット枠体２１を上下動させる場合についてのみ言及したが、クレーン等を用いることで枠体２１を水平移動させるようにしても良い。
【００６２】
さらに、図示する場合にはユニット枠体２１に足場板３７を取り付ける場合について説明したが、足場板３７を取り付けることなく、安全ネット１９のみをユニット枠体２１に取り付けるようにしても良い。
【００６３】
【発明の効果】
上述したように、本発明の連層式足場装置およびその作業方法によれば、ユニット枠体と一体として移動するガイド部材（又はガイドレール）が躯体部に固定されたガイドレール（又はガイド部材）に案内されることで、強風などの揺れにより連層式作業装置が所定の位置からずれるのを防ぐことができ、常に安定した状態で盛替作業を行うことができる。
【００６４】
しかも、垂直支柱と水平梁とが一体に形成されたユニット枠体を用いているので、足場板および安全ネットを取り付けたまま上層階に移動することができ、迅速に盛替作業を行うことができる。
【図面の簡単な説明】
【図１】本発明の連層式作業装置を建築物の外側に取り付けた状態を示す正面図である。
【図２】図１におけるＡ−Ａ線に沿う方向の矢視図である。
【図３】図１におけるＢ−Ｂ線に沿う方向の矢視図である。
【図４】（Ａ）は柱部材の側面図であり、（Ｂ）は柱部材の正面図であり、（Ｃ）は柱部材の一部を示す斜視図である。
【図５】（Ａ）は梁部材の部分断面図であり、（Ｂ）は梁部材の正面図であり、（Ｃ）は梁部材の一部を示す斜視図であり、（Ｄ）は梁部材の一部を示す斜視図である。
【図６】足場板支持梁を示す斜視図である。
【図７】図１のＣ部を拡大して示した斜視図である。
【図８】（Ａ）は足場板の平面図であり、（Ｂ）は足場板の正面図である。
【図９】締結具Ａを示した斜視図である。
【図１０】ガイドローラを示す斜視図である。
【図１１】図１のＤ部を拡大して示した斜視図である。
【図１２】本発明の連層式作業装置の初期使用状態を示す説明図である。
【図１３】本発明の連層式作業装置の上昇移動を開始する状態を示す説明図である。
【図１４】本発明の連層式作業装置の上昇移動が終了した状態を示す説明図である。
【図１５】本発明の連層式作業装置の盛替作業が完了した状態を示す説明図である。
【図１６】ユニット枠体の組上作業に用いるビーム支持部材を示した説明図である。
【図１７】ビーム支持部材を用いてユニット枠体の組上作業を行う状態を示した説明図である。
【図１８】垂直支柱と足場板支持梁との他の締結方法を示した斜視図である。
【図１９】垂直支柱と締結具との他の締結方法を示した斜視図である。
【図２０】（Ａ）は締結具Ｂを示した斜視図であり、（Ｂ）は締結駒付きボルトを示した斜視図であり、（Ｃ）は金具を貫通し、アンカーボルト挿入プレートと一体に形成されたボルトを示した斜視図である。
【図２１】締結具Ｂ６８の躯体部への締結状態を拡大して示した側面図である。
【図２２】締結具Ｃを示した斜視図である。
【図２３】水平回転が可能な締結具Ｄを示した斜視図である。
【符号の説明】
１０      建築物
１１ａ〜１１ｅ      躯体部
１９      安全ネット
２０      連層式作業装置
２１      ユニット枠体
２２      垂直支柱
２３      水平梁
２４      柱部材
２４ａ    チャンネル材
２４ｂ    ジョイント部材
２４ｃ    スペーサ
２５      梁部材
２５ａ    チャンネル材
２５ｂ    ジョイント部材
２５ｃ    スペーサ
２６      柱部材取付孔
２７      梁部材取付孔
２８      貫通孔
２９      支柱用連結部材
３０      足場板支持梁
３１      貫通孔
３２      足場用連結部材
３３      支持梁本体
３３ａ    摺動パイプ
３４      支持梁補助部
３４ａ    摺動パイプ
３５      受け部
３６      足場用締結具
３７      足場板
３８      枠体部
３９      布板部
４０      フック
４１      締結具Ａ
４１ａ    基端部
４１ｂ    先端部
４２      締結梁
４２ａ，４２ｂ      ヒンジ穴
４３      締結補助部材
４４      締結部材
４５      締結アームＡ
４５ａ    スペーサ
４５ｂ，４５ｃ      ヒンジ穴
４５ｄ    先端部
４６      ガイド連結部材
４７      補強部材
４８      締結孔
４９ａ，４９ｂ      ヒンジ部
５０ａ，５０ｂ      締結ボルト
５１      アンカーボルト取付孔
５２      アンカーボルト
５３      ガイド保持部材
５４      保持具
５５      取付孔
５６      ガイドローラ
５７      ガイドローラ支持部
５８      ガイドローラ部
５８ａ    支持片
５８ｂ    回転体
５８ｃ    回転軸
５９      アンカーボルト取付孔
６０      ガイド部材
６０ａ    ガイド溝
６１      固定具
６２      上下動機構
６２ａ    支持腕
６２ｂ    巻上げ機
６３      ワイヤ
６４      梯子
６５      柱部材
６５ａ    取付孔
６６      ビーム支持部材
６６ａ    挿入孔
６６ｂ    突出部
６７      ビーム材
６８      締結具Ｂ
６９      締結アームＢ
７０      アンカーボルト挿入プレート
７１      金具
７１ａ    挿入孔
７２      ボルト
７２ａ    締結駒
７３      ナット
７４      締結具Ｃ
７５      締結アームＣ
７６      筒体
７７      把持部
７８      ネジ
７９      アンカーボルト挿入プレート
８０      回転支持体
８１      締結具Ｄ
８２      締結梁
８３      締結アームＤ
８４      ヒンジ
８５      スリーブ
８６      締結ネジ
８６ａ    締結駒
８７      位置決め孔
【図１】
2004218282.tif 000003
【図２】
2004218282.tif 000004
【図３】
2004218282.tif 000005
【図４】
2004218282.tif 000006
【図５】
2004218282.tif 000007
【図６】
2004218282.tif 000008
【図７】
2004218282.tif 000009
【図８】
2004218282.tif 000010
【図９】
2004218282.tif 000011
【図１０】
2004218282.tif 000012
【図１１】
2004218282.tif 000013
【図１２】
2004218282.tif 000014
【図１３】
2004218282.tif 000015
【図１４】
2004218282.tif 000016
【図１５】
2004218282.tif 000017
【図１６】
2004218282.tif 000018
【図１７】
2004218282.tif 000019
【図１８】
2004218282.tif 000020
【図１９】
2004218282.tif 000021
【図２０】
2004218282.tif 000022
【図２１】
2004218282.tif 000023
【図２２】
2004218282.tif 000024
【図２３】
2004218282.tif 000025